Podtech/llm-jp-corpus-v4-ja_patent huggingface dataset:
【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
ノードが特殊化したノードのグループからクレデンシャルを取得するための、コンピュータにより実施される方法であって、前記特殊化したノードの夫々がグループ秘密鍵の秘密鍵割り当てを有している、前記方法において、
識別子を有する前記ノードから複数の前記特殊化したノードへクレデンシャルの要求を送ることと、
前記複数の特殊化したノードの中の各ノードから、そのノードによって前記識別子とそのノードの秘密鍵割り当てから生成されたシークレットポイントの部分を受け取ることと、
前記シークレットポイントの前記受け取られた部分を結合することによって前記シークレットポイントを生成することと
を有し、
前記シークレットポイントは、前記グループ秘密鍵に前記識別子のマップ・ツー・ポイントハッシュを掛けたものであり、前記クレデンシャルは、前記識別子及び前記シークレットポイントを有し、前記ノードも前記特殊化したノードも、前記グループ秘密鍵の完全なコピーを取得する必要がない、
方法。
【請求項２】
前記要求を送ることは、前記複数の特殊化したノードの夫々へ別個の要求を送ることを含む、
請求項１に記載の方法。
【請求項３】
前記識別子は、前記ノードを識別する識別子ストリングと、前記特殊化したノードのグループの役割を識別する役割ストリングとを含む、
請求項１又は２に記載の方法。
【請求項４】
前記識別子は、前記クレデンシャルの満了時間を更に含む、
請求項３に記載の方法。
【請求項５】
前記要求を送ることは、前記識別子ストリングを送ることを含み、前記受け取ることは、前記識別子を受け取ることを含む、
請求項３又は４に記載の方法。
【請求項６】
前記シークレットポイントを生成することは、前記シークレットポイントの前記受け取られた部分を加算することを有する、
請求項１乃至５のうちいずれか一項に記載の方法。
【請求項７】
前記シークレットポイントを生成することは、前記グループ秘密鍵に基づく前記シークレットポイントを生成するよう秘密分散スキームを使用する、
請求項１乃至６のうちいずれか一項に記載の方法。
【請求項８】
前記秘密分散スキームは、前記グループ秘密鍵を再構成することなしに、前記複数の特殊化したノードの前記秘密鍵割り当て及びラグランジュ補間を使用する、
請求項７に記載の方法。
【請求項９】
プロセッサと、
メモリと、
ネットワークインターフェイスと、
特殊化したノードのグループからクレデンシャルを取得するためのプロセッサ実行可能命令を含み、前記特殊化したノードの夫々がグループ秘密鍵の秘密鍵割り当てを有している、アプリケーションと
を有するノードであって、
実行される場合に、前記プロセッサ実行可能命令は、当該ノードに、
識別子を有する前記ノードから複数の前記特殊化したノードへクレデンシャルの要求を送ることと、
前記複数の特殊化したノードの中の各ノードから、そのノードによって前記識別子とそのノードの秘密鍵割り当てから生成されたシークレットポイントの部分を受け取ることと、
前記シークレットポイントの前記受け取られた部分を結合することによって前記シークレットポイントを生成することと
を実行させ、
前記シークレットポイントは、前記グループ秘密鍵に前記識別子のマップ・ツー・ポイントハッシュを掛けたものであり、前記クレデンシャルは、前記識別子及び前記シークレットポイントを有し、前記ノードも前記特殊化したノードも、前記グループ秘密鍵の完全なコピーを取得する必要がない、
ノード。
【請求項１０】
前記プロセッサ実行可能命令は、実行されるときに、当該ノードに、
前記複数の特殊化したノードの夫々へ別個の要求を送ることによって前記要求を送ることを実行させる、
請求項９に記載のノード。
【請求項１１】
前記識別子は、前記ノードを識別する識別子ストリングと、前記特殊化したノードのグループの役割を識別する役割ストリングとを含む、
請求項９又は１０に記載のノード。
【請求項１２】
前記識別子は、前記クレデンシャルの満了時間を更に含む、
請求項１１に記載のノード。
【請求項１３】
前記プロセッサ実行可能命令は、実行されるときに、当該ノードに、
前記識別子ストリングを送ることによって前記要求を送ることを実行させるとともに、前記識別子を受け取ることによって前記受け取ることを実行させる、
請求項１１又は１２に記載のノード。
【請求項１４】
前記プロセッサ実行可能命令は、実行されるときに、当該ノードに、
前記シークレットポイントの前記受け取られた部分を加算することによって前記シークレットポイントを生成することを実行させる、
請求項９乃至１３のうちいずれか一項に記載のノード。
【請求項１５】
前記プロセッサ実行可能命令は、実行されるときに、当該ノードに、
前記グループ秘密鍵に基づく前記シークレットポイントを生成するよう秘密分散スキームを使用して前記シークレットポイントを生成することを実行させる、
請求項９乃至１４のうちいずれか一項に記載のノード。
【請求項１６】
前記秘密分散スキームは、前記グループ秘密鍵を再構成することなしに、前記複数の特殊化したノードの前記秘密鍵割り当て及びラグランジュ補間を使用する、
請求項１５に記載のノード。
【請求項１７】
１つ以上のプロセッサによって実行されるときに、該１つ以上のプロセッサに、請求項１乃至８のうちいずれか一項に記載の方法の動作を実行させるプロセッサ実行可能命令を含むプログラム。
【手続補正書】
【提出日】令和3年6月14日(2021.6.14)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）であって、
メモリと、
プロセッサであって、
物理ダウンリンク制御チャネル（ＰＤＣＣＨ）送信を受信し、
第１のスクランブルシーケンスを使用してＰＤＣＣＨ送信をデスクランブルしてＰｏｌａｒ符号化されたビットを生成し、
前記Ｐｏｌａｒ符号化されたビットを復号してＰｏｌａｒ復号されたビットを生成し、前記Ｐｏｌａｒ符号化されたビットを復号することは、前記Ｐｏｌａｒ復号されたビット内の少なくとも１つのアシスタンスビットの位置を決定することを含み、
第２のスクランブルシーケンスを使用して前記Ｐｏｌａｒ復号されたビットの一部をデスクランブルし、前記Ｐｏｌａｒ復号されたビットの一部は、２４個の巡回冗長検査（ＣＲＣ）ビットの最後の１６ビットであり、
前記Ｐｏｌａｒ復号されたビットの一部をデスクランブルすることが成功したという条件で、前記Ｐｏｌａｒ復号されたビットからダウンリンク制御情報（ＤＣＩ）を得る
ように少なくとも構成されたプロセッサと
を含むＷＴＲＵ。
【請求項２】
前記第１のスクランブルシーケンスは、前記ＷＴＲＵに関連付けられる識別子を使用して初期化されるゴールドシーケンスを使用して生成される、請求項１のＷＴＲＵ。
【請求項３】
前記ＷＴＲＵに関連付けられる前記識別子は、セル無線ネットワーク一時識別子（Ｃ−ＲＮＴＩ）である、請求項２のＷＴＲＵ。
【請求項４】
前記２４個のＣＲＣビットは、前記少なくとも１つのアシスタンスビットを含み、およびＤＣＩビットとインターリーブされる、請求項１のＷＴＲＵ。
【請求項５】
前記第２のスクランブルシーケンスは、前記ＷＴＲＵに関連付けられる識別子に基づく、請求項１のＷＴＲＵ。
【請求項６】
メモリと、
プロセッサであって、
ダウンリンク制御情報（ＤＣＩ）ビットに２４個の巡回冗長検査（ＣＲＣ）ビットを添付し、前記２４個のＣＲＣビットの最後の１６ビットは、第２のスクランブルシーケンスを使用してスクランブルされ、
前記２４個のＣＲＣビットおよびＤＣＩビットをインターリーブして、インターリーブされたＣＲＣおよびＤＣＩビットを生成し、前記２４個のＣＲＣビットをインターリーブすることは、前記２４個のＣＲＣビットの一部を分散することを含み、前記２４個のＣＲＣビットの一部は、ＤＣＩに関連付けられるアシスタンスビットであり、
前記インターリーブされた２４個のＣＲＣおよびＤＣＩビットのＰｏｌａｒ符号化を実行してＰｏｌａｒ符号化されたビットを生成し、
前記Ｐｏｌａｒ符号化されたビットを第１のスクランブルシーケンスでスクランブルし、
前記スクランブルされたＰｏｌａｒ符号化されたビットを含む物理ダウンリンク制御チャネル（ＰＤＣＣＨ）送信を送信する
ように構成されたプロセッサと
を含む基地局。
【請求項７】
前記プロセッサは、無線送受信ユニット（ＷＴＲＵ）に関連付けられる識別子を使用して初期化されるゴールドシーケンスを使用して前記第１のスクランブルシーケンスを生成するように構成され、ＷＴＲＵに関連付けられる前記識別子は、セル無線ネットワーク一時識別子（Ｃ−ＲＮＴＩ）である、請求項６の基地局。
【請求項８】
前記基地局は、ｇＮＢである、請求項６の基地局。
【請求項９】
前記第２のスクランブルシーケンスは、無線送受信ユニット（ＷＴＲＵ）に関連付けられる識別子に基づく、請求項６の基地局。
【請求項１０】
無線送受信ユニット（ＷＴＲＵ）によって実行される方法であって、
物理ダウンリンク制御チャネル（ＰＤＣＣＨ）送信を受信することと、
第１のスクランブルシーケンスを使用してＰＤＣＣＨ送信をデスクランブルしてＰｏｌａｒ符号化されたビットを生成することと、
前記Ｐｏｌａｒ符号化されたビットを復号してＰｏｌａｒ復号されたビットを生成することであって、前記Ｐｏｌａｒ符号化されたビットを復号することは、前記Ｐｏｌａｒ復号されたビット内の少なくとも１つのアシスタンスビットの位置を決定することを含む、ことと、
第２のスクランブルシーケンスを使用して前記Ｐｏｌａｒ復号されたビットの一部をデスクランブルすることであって、前記Ｐｏｌａｒ復号されたビットの一部は、２４個の巡回冗長検査（ＣＲＣ）ビットの最後の１６ビットであり、
前記Ｐｏｌａｒ復号されたビットの一部をデスクランブルすることが成功したという条件で、前記Ｐｏｌａｒ復号されたビットからダウンリンク制御情報（ＤＣＩ）を得ることと
を備える方法。
【請求項１１】
前記第１のスクランブルシーケンスは、セル無線ネットワーク一時識別子（Ｃ−ＲＮＴＩ）を使用して初期化されるゴールドシーケンスを使用して生成される、請求項１０の方法。
【請求項１２】
前記第２のスクランブルシーケンスは、前記ＷＴＲＵに関連付けられる識別子に基づく、請求項１０の方法。
【請求項１３】
前記２４個のＣＲＣビットは、前記少なくとも１つのアシスタンスビットを含み、およびＤＣＩビットとインターリーブされる、請求項１０の方法。
【請求項１４】
ダウンリンク制御情報（ＤＣＩ）ビットに２４個の巡回冗長検査（ＣＲＣ）ビットを添付することであって、前記２４個のＣＲＣビットの最後の１６ビットは、第２のスクランブルシーケンスを使用してスクランブルされる、ことと、
前記２４個のＣＲＣビットおよびＤＣＩビットをインターリーブして、インターリーブされたＣＲＣおよびＤＣＩビットを生成することであって、前記２４個のＣＲＣビットをインターリーブすることは、前記２４個のＣＲＣビットの一部を分散することを含み、前記２４個のＣＲＣビットの一部は、ＤＣＩに関連付けられるアシスタンスビットである、ことと、
前記インターリーブされた２４個のＣＲＣおよびＤＣＩビットのＰｏｌａｒ符号化を実行してＰｏｌａｒ符号化されたビットを生成することと、
前記Ｐｏｌａｒ符号化されたビットを第１のスクランブルシーケンスでスクランブルすることと、
前記スクランブルされたＰｏｌａｒ符号化されたビットを物理ダウンリンク制御チャネル（ＰＤＣＣＨ）を介して送信することと
を備える方法。
【請求項１５】
前記第１のスクランブルシーケンスは、無線送受信ユニット（ＷＴＲＵ）に関連付けられる識別子を使用して初期化されるゴールドシーケンスを使用して生成され、ＷＴＲＵに関連付けられる前記識別子は、セル無線ネットワーク一時識別子（Ｃ−ＲＮＴＩ）である、請求項１４の方法。
【請求項１６】
前記第２のスクランブルシーケンスは、無線送受信ユニット（ＷＴＲＵ）に関連付けられる識別子に基づく、請求項１４の方法
【手続補正書】
【提出日】令和3年5月25日(2021.5.25)
【手続補正１】
【補正対象書類名】特許請求の範囲
【補正対象項目名】全文
【補正方法】変更
【補正の内容】
【特許請求の範囲】
【請求項１】
スケジューリングエンティティにおいて動作可能なビーム障害回復の方法であって、
ビーム障害回復要求(BFRR)を伝達するために、ユーザ機器(UE)を含む複数のスケジュールドエンティティに同じランダムアクセスチャネル(RACH)リソースを割り当てるステップと、
前記割り当てられたRACHリソースを利用してRACHプロシージャの第1のメッセージの中で前記BFRRを前記UEから受信するステップと、
セル無線ネットワーク一時識別情報(C-RNTI)を提供するように前記RACHプロシージャの中で前記UEに要求するステップと、
前記RACHプロシージャの中で前記UEから前記C-RNTIを受信するステップと、
前記スケジューリングエンティティに記録されたC-RNTIに対応する前記UEから受信されたC-RNTIを確認するステップと
を含む方法。
【請求項２】
1次同期信号(PSS)、
2次同期信号(SSS)、
物理ブロードキャストチャネル(PBCH)、
残存最小システム情報(RMSI)、
他のシステム情報(OSI)、
物理ダウンリンク制御チャネル(PDCCH)、
無線リソース制御(RRC)メッセージ、または
ハンドオーバメッセージ
のうちの少なくとも1つ利用して、前記RACHリソースの割振り情報を前記複数のスケジュールドエンティティへ送信するステップ
をさらに含む、請求項1に記載の方法。
【請求項３】
一時的なC-RNTIを前記UEへ送信することを、前記RACHプロシージャの中で控えるステップ
をさらに含む、請求項1に記載の方法。
【請求項４】
前記RACHリソースが、
RACHプリアンブル、または
時間周波数リソースのうちの少なくとも1つを含む、
請求項1に記載の方法。
【請求項５】
前記RACHプロシージャが競合ベースランダムアクセスプロシージャである、請求項1に記載の方法。
【請求項６】
ユーザ機器(UE)において動作可能なビーム障害回復の方法であって、
ビーム障害回復要求(BFRR)を伝達するために、前記UEを含む複数のスケジュールドエンティティに割り当てられているランダムアクセスチャネル(RACH)リソースの割当てを、スケジューリングエンティティから受信するステップと、
前記割り当てられたRACHリソースを利用してRACHプロシージャの第1のメッセージ中で前記BFRRを前記スケジューリングエンティティへ送信するステップと、
セル無線ネットワーク一時識別情報(C-RNTI)を提供するようにとの要求を前記スケジューリングエンティティから前記RACHプロシージャの中で受信するステップと、
前記RACHプロシージャの中で前記C-RNTIを前記スケジューリングエンティティへ送信するステップと、
前記送信されたC-RNTIが、前記スケジューリングエンティティに記録されたC-RNTIに対応すると前記スケジューリングエンティティにより確認された際に前記スケジューリングエンティティとのビーム障害回復を完了するステップと
を含む、方法。
【請求項７】
1次同期信号(PSS)、
2次同期信号(SSS)、
物理ブロードキャストチャネル(PBCH)、
残存最小システム情報(RMSI)、
他のシステム情報(OSI)、
物理ダウンリンク制御チャネル(PDCCH)、
無線リソース制御(RRC)メッセージ、または
ハンドオーバメッセージ
のうちの少なくとも1つを利用して、前記スケジューリングエンティティから前記RACHリソースの割振り情報を受信するステップ
をさらに含む、請求項6に記載の方法。
【請求項８】
前記スケジューリングエンティティから一時的なC-RNTIを受信することを、前記RACHプロシージャの中で控えるステップ
をさらに含む、請求項6に記載の方法。
【請求項９】
前記RACHリソースが、
RACHプリアンブル、または
時間周波数リソースのうちの少なくとも1つを含む、
請求項6に記載の方法。
【請求項１０】
前記RACHプロシージャが競合ベースランダムアクセスプロシージャである、請求項6に記載の方法。
【請求項１１】
請求項1から5のうちのいずれか一項に記載の方法を実行するように構成される手段を備える、装置。
【請求項１２】
請求項6から10のうちのいずれか一項に記載の方法を実行するように構成される手段を備える、装置。
【請求項１３】
コンピュータで実行されたときに、前記コンピュータに、請求項1から5および6から10のうちのいずれか一項に記載の方法を実行させる命令を含む、コンピュータプログラム。
【手続補正書】
【提出日】令和3年4月26日(2021.4.26)
【手続補正１】
【補正対象書類名】特許請求の範囲
【補正対象項目名】全文
【補正方法】変更
【補正の内容】
【特許請求の範囲】
【請求項１】
被スケジューリングエンティティにおいて動作可能なワイヤレス通信の方法であって、
制御チャネル要素(CCE)インデックスを有するCCEおよびオフセット値を有するダウンリンク(DL)制御情報(DCI)を含むDL送信を受信するステップと、
前記DL送信に応答して、送信に対する肯定応答(ACK)を生成するステップと、
前記CCEインデックスおよび前記DCIの前記オフセット値に基づいて前記ACKを送信するための第1のアップリンク(UL)リソースを決定するステップと、
前記第1のULリソースを使用して、前記ACKを送信するステップとを含み、
前記ACKを送信するための前記第1のULリソースを決定するステップが、
複数の情報要素と対応する複数のオフセット値との間のマッピングに基づいて前記オフセット値を決定するステップであって、前記マッピングは無線リソース制御(RRC)メッセージに基づく、ステップと、
前記CCEインデックスに基づくULリソースに前記オフセット値を適用して、前記第1のULリソースを決定するステップとを含む方法。
【請求項２】
前記複数の情報要素の各々がマルチビット信号に対応し、前記対応する複数のオフセット値の各々が一意の値であり、前記複数のオフセット値が少なくとも4つの一意の値を含む、請求項1に記載の方法。
【請求項３】
前記対応する複数のオフセット値の各々が、いくつかのリソースブロックおよびいくつかのリソース要素のうちの1つに対応する、請求項1に記載の方法。
【請求項４】
前記対応する複数のオフセット値の各々が、リソースロケーションに対応する、請求項1に記載の方法。
【請求項５】
前記対応する複数のオフセット値の各々が、リソースマッピングに対応する、請求項1に記載の方法。
【請求項６】
スケジューリングエンティティから前記マッピングを受信するステップをさらに含み、前記マッピングを受信するステップは、
前記マッピングを含むメッセージを受信するステップと、
前記マッピングをメモリデバイスに記憶するステップとを含む、請求項1に記載の方法。
【請求項７】
前記情報要素を前記オフセット値にマッピングする無線リソース制御(RRC)メッセージを受信するステップであって、前記オフセット値は、周波数ドメイン、コードドメイン、循環シフトドメイン、または時間ドメインのうちの1つまたは複数において前記第1のULリソースをオフセットするように構成される、ステップと、
前記情報要素および前記オフセット値をメモリデバイスに記憶するステップとをさらに含む、請求項1に記載の方法。
【請求項８】
第2のULリソースを示す情報要素を有するDL制御情報(DCI)を含む別のDL送信を受信するステップであって、前記情報要素は、前記第1のULリソースへの前記ACKの前記マッピングをオーバーライドするように構成される、ステップと、
前記第2のULリソースを使用して前記ACKを送信するステップとをさらに含む、請求項1に記載の方法。
【請求項９】
前記別のDL送信は、前記第2のULリソースを示すアドレスまたはインデックスのうちの1つまたは複数を提供するように構成されたACK許可を含む、請求項8に記載の方法。
【請求項１０】
前記被スケジューリングエンティティが、ユーザ機器(UE)を含む、請求項1から9のいずれか一項に記載の方法。
【請求項１１】
ワイヤレス通信のために構成された装置であって、
制御チャネル要素(CCE)インデックスを有するCCEおよびオフセット値を有するダウンリンク(DL)制御情報(DCI)を含むDL送信を、受信するための手段と、
前記DL送信に応答して肯定応答(ACK)を生成するための手段と、
前記CCEインデックスおよび前記DCIの前記オフセット値に基づいて前記ACKを送信するための第1のアップリンク(UL)リソースを決定するための手段と、
前記第1のULリソースを使用して、前記ACKを送信するための手段とを備え、
前記ACKを送信するための前記第1のULリソースを決定するための手段が、
複数の情報要素と対応する複数のオフセット値との間のマッピングに基づいて前記オフセット値を決定するための手段であって、前記マッピングは無線リソース制御(RRC)メッセージに基づく、手段と、
前記CCEインデックスに基づくULリソースに前記オフセット値を適用して、前記第1のULリソースを決定するための手段とを含む、装置。
【請求項１２】
スケジューリングエンティティにおいて動作可能なワイヤレス通信の方法であって、
肯定応答(ACK)のための第1のアップリンク(UL)リソースを選択するステップであって、前記第1のULリソースは、制御チャネル要素(CCE)インデックスおよびオフセット値によってマッピングされる、ステップと、
前記CCEインデックスを有するCCEおよび前記オフセット値を有するダウンリンク(DL)制御情報(DCI)を含むDL送信を、被スケジューリングエンティティに通信するステップと、
前記DL送信に応答して、前記第1のULリソースを介して通信されたACKを、前記被スケジューリングエンティティから受信するステップとを含み、
前記DL送信で受信された前記CCEインデックスは、ULリソースの基礎であり、
前記DL送信で受信されたオフセット値は、複数の情報要素と対応する複数のオフセット値との間のマッピングに従って、決定されたオフセット値にマッピングし、前記マッピングは無線リソース制御(RRC)メッセージに基づき、前記決定されたオフセット値は前記被スケジューリングエンティティによって前記ULリソースに適用される、方法。
【請求項１３】
前記スケジューリングエンティティが、基地局またはユーザ機器(UE)を含む、請求項12に記載の方法。
【請求項１４】
ワイヤレス通信のために構成された装置であって、
肯定応答(ACK)のための第1のULリソースを選択するための手段であって、前記第1のULリソースは、制御チャネル要素(CCE)インデックスおよびオフセット値によってマッピングされる、手段と、
前記CCEインデックスを有するCCEおよび前記オフセット値を有するダウンリンク(DL)制御情報(DCI)を含むDL送信を、被スケジューリングエンティティに通信するための手段と、
前記DL送信に応答して、前記第1のULリソースにより通信されたACKを、前記被スケジューリングエンティティから受信するための手段とを含み、
前記DL送信で受信された前記CCEインデックスは、ULリソースの基礎であり、
前記DL送信で受信されたオフセット値は、複数の情報要素と対応する複数のオフセット値との間のマッピングに従って、決定されたオフセット値にマッピングし、前記マッピングは無線リソース制御(RRC)メッセージに基づき、前記決定されたオフセット値は前記被スケジューリングエンティティによって前記ULリソースに適用される、装置。
【請求項１５】
装置のプロセッサによって実行されたとき、前記プロセッサに請求項1から10、または請求項12から13のいずれか一項に記載の方法を実行させる複数の実行可能命令を含む、少なくとも１つの機械可読媒体。
【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ワイヤレスノードが、1つまたは複数の同期通信セット内で複数の同期通信を送信するためのパターンを決定するステップと、
前記ワイヤレスノードが、前記パターンに少なくとも部分的に基づいて、前記複数の同期通信を送信するために使用されることになる、前記1つまたは複数の同期通信セット内のリソースのセットを決定するステップと、
前記ワイヤレスノードが、リソースの前記セットを使用して、前記複数の同期通信を送信するステップであって、前記複数の同期通信のうちの第1の同期通信が、第2の同期通信と周波数分割多重化される、送信するステップと
を含み、各同期通信が同期信号(SS)ブロックであり、各同期通信セットがSSバーストセットである、方法。
【請求項２】
前記第1の同期通信が、送信用の第1の基地局同期通信を含み、前記第2の同期通信が、送信用の第2の基地局同期通信、送信用のユーザ機器同期通信、または受信用の基地局同期通信を含む、請求項1に記載の方法。
【請求項３】
送信用の前記第1の基地局同期通信、送信用の前記第2の基地局同期通信、または受信用の前記基地局同期通信が、
送信または受信のために使用される時間リソース、
送信または受信のために使用される周波数リソース、
周期性、
波形、
ビームフォーミングパラメータ、または
それらの何らかの組合せ
のうちの1つまたは複数に関して、送信用の前記ユーザ機器同期通信とは異なる、請求項2に記載の方法。
【請求項４】
前記第1の同期通信が前記ワイヤレスノードよって送信され、前記第2の同期通信が別のワイヤレスノードによって送信される、請求項1に記載の方法。
【請求項５】
前記複数の同期通信が、前記ワイヤレスノードによって送信される第3の同期通信を含む、請求項1に記載の方法。
【請求項６】
前記パターンが、前記第1の同期通信用の第1の周波数および前記第3の同期通信用の第2の周波数を示す周波数ホッピングパターンを含む、請求項5に記載の方法。
【請求項７】
前記パターンが、前記第1の同期通信および前記第3の同期通信が同じ同期通信セット内の、あるいは異なる同期通信セット内の、異なる周波数リソースを使用することを示す、請求項5に記載の方法。
【請求項８】
前記パターンが、前記第1の同期通信用の第1の時間間隔および前記第3の同期通信用の第2の時間間隔を示す時間ホッピングパターンを含む、請求項5に記載の方法。
【請求項９】
前記パターンが、前記第1の同期通信および前記第3の同期通信が同じ同期通信セット内の、あるいは異なる同期通信セット内の、異なる時間リソースを使用することを示す、請求項5に記載の方法。
【請求項１０】
前記第3の同期通信が前記第2の同期通信である、請求項5に記載の方法。
【請求項１１】
前記複数の同期通信の異なる同期通信が異なる送信ビームを使用して送信される、請求項1に記載の方法。
【請求項１２】
前記複数の同期通信のうちの1つの同期通信が、
1次同期信号、
2次同期信号、
物理ブロードキャストチャネル通信、
残存する最小システム情報を搬送する物理チャネル、
残存する他のシステム情報を搬送する物理チャネル、または
それらの何らかの組合せ
のうちの少なくとも1つを含む、請求項1に記載の方法。
【請求項１３】
ワイヤレス通信の方法であって、
ワイヤレスノードが、1つまたは複数の同期通信を受信するために使用されることになる、1つまたは複数の同期通信セット内のリソースのセットの決定に関連するパターンの指示を受信するステップと、
前記ワイヤレスノードが、前記パターンの前記指示に少なくとも部分的に基づいて、リソースの前記セットを決定するステップと、
前記ワイヤレスノードが、リソースの前記セットを使用して、前記1つまたは複数の同期通信を受信するステップであって、前記1つまたは複数の同期通信のうちの第1の同期通信が、第2の同期通信と周波数分割多重化される、受信するステップと
を含み、各同期通信が同期信号(SS)ブロックであり、各同期通信セットがSSバーストセットである、方法。
【請求項１４】
ワイヤレス通信用のワイヤレスノードであって、
メモリと、
前記メモリに動作可能に結合された1つまたは複数のプロセッサとを含み、前記メモリおよび前記1つまたは複数のプロセッサが、
1つまたは複数の同期通信セット内で複数の同期通信を送信するためのパターンを決定することと、
前記パターンに少なくとも部分的に基づいて、前記複数の同期通信を送信するために使用されることになる、前記1つまたは複数の同期通信セット内のリソースのセットを決定することと、
リソースの前記セットを使用して、前記複数の同期通信を送信することであって、前記複数の同期通信のうちの第1の同期通信が、第2の同期通信と周波数分割多重化される、送信することと
を行うように構成され、各同期通信が同期信号(SS)ブロックであり、各同期通信セットがSSバーストセットである、ワイヤレスノード。
【請求項１５】
ワイヤレス通信用のワイヤレスノードであって、
メモリと、
前記メモリに動作可能に結合された1つまたは複数のプロセッサとを含み、前記メモリおよび前記1つまたは複数のプロセッサが、
1つまたは複数の同期通信を受信するために使用されることになる、1つまたは複数の同期通信セット内のリソースのセットの決定に関連するパターンの指示を受信することと、
前記パターンの前記指示に少なくとも部分的に基づいて、リソースの前記セットを決定することと、
リソースの前記セットを使用して、前記1つまたは複数の同期通信を受信することであって、前記1つまたは複数の同期通信のうちの第1の同期通信が、第2の同期通信と周波数分割多重化される、受信することと
を行うように構成され、各同期通信が同期信号(SS)ブロックであり、各同期通信セットがSSバーストセットである、ワイヤレスノード。
【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
ネットワークエンティティによるワイヤレス通信のための方法であって、
1つまたは複数のネイバーセルがサービングセルと同期しているかまたは非同期であるかを決定するステップと、
前記ネイバーセルのうちの1つまたは複数が前記サービングセルと同期しているかまたは非同期であるかの表示を、1つまたは複数のユーザ機器(UE)に提供するステップと、
前記ネイバーセルからの基準信号が1つの測定窓内で送信されるように、前記ネイバーセル内の少なくとも1つのタイプの前記基準信号の送信のための構成を決定するステップであって、前記少なくとも1つのタイプの基準信号が、同期信号(SS)またはチャネル状態情報基準信号(CSI-RS)のうちの少なくとも1つを含む、ステップと、
前記構成の表示を1つまたは複数のUEに提供するステップであって、前記サービングセルと同期しているネイバーセルに提供される少なくとも1つのSSまたはCSI-RS構成の送信の構成が、前記サービングセルと非同期のネイバーセルに提供されるSSまたはCSI-RS構成とは異なる、ステップとを含む、方法。
【請求項２】
前記ネットワークエンティティがまた、どのネイバーセルが前記サービングセルと同期しているかまたは非同期であるかの表示を1つまたは複数UEに提供する、請求項1に記載の方法。
【請求項３】
前記1つまたは複数のネイバーセルが前記サービングセルと同期しているかまたは非同期であるかの前記決定が、サービングセルと1つまたは複数のネイバーセルとの間の報告されたシンボルタイミング差に基づき、
前記シンボルタイミング差が、前記ネイバーセル内の少なくとも1つのタイプの基準信号送信に対する前記構成を決定するために使用される、請求項1に記載の方法。
【請求項４】
前記シンボルタイミング差が、1つまたは複数のUEによって報告される、請求項3に記載の方法。
【請求項５】
前記サービングセルと同期しているネイバーセルに対する構成パラメータのサブセットが、前記サービングセルと非同期のネイバーセルに提供されるものとは異なる、請求項1に記載の方法。
【請求項６】
前記構成パラメータのサブセットが、スロットオフセットまたは周期のうちの少なくとも1つを含み、
同じスロットオフセットまたは周期が、前記サービングセルと同期しているネイバーセルに提供され、
異なるスロットオフセットまたは周期が、前記サービングセルと非同期のネイバーセルに提供される、請求項5に記載の方法。
【請求項７】
前記構成が、ネイバーセルからの基準信号(RS)が前記測定窓内の同じスロットまたはミニスロット内に着信するように決定されるか、または
前記構成が、ネイバーセルからの基準信号(RS)が前記測定窓内の隣接するスロットまたはミニスロット内に着信するように決定される、請求項1に記載の方法。
【請求項８】
ユーザ機器(UE)によるワイヤレス通信のための方法であって、
1つまたは複数のネイバーセルが前記UEのサービングセルと同期しているかまたは非同期であるかの表示を受信するステップと、
前記表示に基づいて、前記サービングセルと同期しているセル内の少なくとも1つのタイプの基準信号測定を、前記サービングセルと非同期のセル内とは異なるように実行するステップであって、前記少なくとも1つのタイプの基準信号が、同期信号(SS)またはチャネル状態情報基準信号(CSI-RS)のうちの少なくとも1つを含む、ステップと、
CSI-RS送信または同期信号送信のうちの少なくとも1つに対する構成を取得するステップとを含み、
前記サービングセルと同期しているネイバーセルに対して取得されるSSまたはCSI-RS構成が、前記サービングセルと非同期のネイバーセルに提供されるSSまたはCSI-RS構成とは異なる、方法。
【請求項９】
どのネイバーセルが前記サービングセルと同期しているかまたは非同期であるかの表示を受信するステップをさらに含む、請求項8に記載の方法。
【請求項１０】
前記UEが、SSを検出することなく前記サービングセルと同期しているセル内のCSI-RS測定を実行するように構成され、
前記UEが、それらのセル内のCSI-RS測定を実行する前に、前記サービングセルと非同期のセル内のSSを検出するように構成される、請求項8に記載の方法。
【請求項１１】
前記UEが、前記サービングセルと同期しているセル内のCSI-RSに基づいてネイバーセルを検出するように構成され、
前記UEが、前記サービングセルと非同期のセル内のSSに基づいてネイバーセルを検出するように構成される、請求項8に記載の方法。
【請求項１２】
前記UEが、それらのセル内のCSI-RS測定を実行する前に、前記サービングセルと非同期のセル内の物理ブロードキャストチャネル(PBCH)を復号するようにさらに構成される、請求項11に記載の方法。
【請求項１３】
複数のネイバーセルに対するCSI-RS構成情報を取得するステップと、
前記構成情報に基づいて決定された測定窓内で前記ネイバーセル内のCSI-RSを測定するために起動するステップとをさらに含むか、または
前記UEが、前記構成情報に基づいて、前記CSI-RSを受信するために、指向性アンテナ構成を用いるかまたは無指向性アンテナ構成を用いるかを決定するように構成される、請求項8に記載の方法。
【請求項１４】
請求項1から7または8から13のいずれか一項に記載のステップを実行するように構成された手段を含む、ワイヤレス通信のための装置。
【請求項１５】
コンピュータに請求項1から13のいずれか一項に記載のステップを実行させるように構成された、命令を記憶したコンピュータ可読記録媒体。
【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
チャネル測定用参照信号リソース及び干渉測定用リソースの少なくとも一つを含むリソースを示す情報を上位レイヤシグナリングで受信する受信部と、
前記情報に基づいて、チャネル測定及び干渉測定の少なくとも一つを行う制御部と、
前記チャネル測定及び前記干渉測定の少なくとも一つに基づいて、フィードバック情報を送信する送信部と、を有し、
前記チャネル測定用参照信号リソース及び前記干渉測定用リソースの少なくとも一つを含む前記リソースは、キャリア部分帯域幅内の１以上の周波数リソースに割り当てられることを特徴とするユーザ装置（ＵＥ）。
【請求項２】
前記リソースは前記キャリア部分帯域幅内で連続に割り当てられることを特徴とする請求項１に記載のＵＥ。
【請求項３】
前記キャリア部分帯域内に割り当てられる前記リソースの位置は、開始リソース及び開始リソースからの周波数領域の長さとして示されることを特徴とする請求項１に記載の方法。
【請求項４】
前記チャネル測定用参照信号リソース及び前記干渉測定用リソースは、同じキャリア部分帯域幅内の１以上の周波数リソースに割り当てられることを特徴とする請求項１に記載のＵＥ。
【請求項５】
チャネル測定用参照信号リソース及び干渉測定用リソースの少なくとも一つを含むリソースを示す情報を上位レイヤシグナリングで受信するステップと、
前記情報に基づいて、チャネル測定及び干渉測定の少なくとも一つを行うステップと、
前記チャネル測定及び前記干渉測定の少なくとも一つに基づいて、フィードバック情報を送信するステップと、を有し、
前記チャネル測定用参照信号リソース及び前記干渉測定用リソースの少なくとも一つを含む前記リソースは、キャリア部分帯域幅内の１以上の周波数リソースに割り当てられることを特徴とするユーザ装置（ＵＥ）の無線通信方法。
【請求項６】
ユーザ装置（ＵＥ）において、チャネル測定及び干渉測定の少なくとも一つを行うための、チャネル測定用参照信号リソース及び干渉測定用リソースの少なくとも一つを含むリソースを示す情報を上位レイヤシグナリングで送信する送信部と、
前記ＵＥにおける前記チャネル測定及び前記干渉測定の少なくとも一つに基づくフィードバック情報を受信する受信部と、を有し、
前記チャネル測定用参照信号リソース及び前記干渉測定用リソースの少なくとも一つを含む前記リソースは、キャリア部分帯域幅内の１以上の周波数リソースに割り当てられることを特徴とする基地局（ＢＳ）。
【請求項７】
ユーザ装置（ＵＥ）と基地局（ＢＳ）とを有するシステムであって、
前記ＵＥは、チャネル測定用参照信号リソース及び干渉測定用リソースの少なくとも一つを含むリソースを示す情報を上位レイヤシグナリングで受信する受信部と、
前記情報に基づいて、チャネル測定及び干渉測定の少なくとも一つを行う制御部と、
前記チャネル測定及び前記干渉測定の少なくとも一つに基づいて、フィードバック情報を送信する送信部と、を有し、
前記ＢＳは、前記情報を送信する送信部と、
前記フィードバック情報を受信する受信部と、を有し、
前記チャネル測定用参照信号リソース及び前記干渉測定用リソースの少なくとも一つを含む前記リソースは、キャリア部分帯域幅内の１以上の周波数リソースに割り当てられることを特徴とするシステム。
【手続補正２】
【補正対象書類名】明細書
【補正対象項目名】発明の名称
【補正方法】変更
【補正の内容】
【発明の名称】ユーザ装置、無線通信方法、基地局及びシステム
【手続補正３】
【補正対象書類名】明細書
【補正対象項目名】０００５
【補正方法】変更
【補正の内容】
【０００５】
本発明の１つ以上の実施形態は、ユーザ装置（ｕｓｅｒ  ｅｑｕｉｐｍｅｎｔ（ＵＥ））において、チャネル測定用参照信号リソース及び干渉測定用リソースの少なくとも一つを含むリソースを示す情報を上位レイヤシグナリングで受信する受信部と、前記情報に基づいて、チャネル測定及び干渉測定の少なくとも一つを行う制御部と、前記チャネル測定及び前記干渉測定の少なくとも一つに基づいて、フィードバック情報を送信する送信部と、を有し、前記チャネル測定用参照信号リソース及び前記干渉測定用リソースの少なくとも一つを含む前記リソースは、キャリア部分帯域幅内の１以上の周波数リソースに割り当てられることを特徴とする。
【手続補正書】
【提出日】令和3年5月25日(2021.5.25)
【手続補正１】
【補正対象書類名】特許請求の範囲
【補正対象項目名】全文
【補正方法】変更
【補正の内容】
【特許請求の範囲】
【請求項１】
赤外線検出器、送信機のホーンアンテナ、および受信機のホーンアンテナを含む携帯型の二重検出デバイスであって、前記２つのホーンアンテナが、ベクトルネットワーク分析器に動作可能に接続されている、携帯型の二重検出デバイスと、コードの形で命令を記憶するメモリを有するコントローラと、前記命令を内部で実行することによって構成されたプロセッサと、を使用して、保温材下の腐食について保温された機器を検査するための方法であって、
保温材下で腐食が疑われる、前記保温された機器上の場所を特定することと、
前記機器から前記保温材を剥がさずに、前記特定された場所で前記保温された機器を囲むメタルジャケットを取り外すことと、
前記送信機のホーンアンテナを使用して、前記特定された場所で前記保温された機器に向けてマイクロ波を送信することであって、前記送信されたマイクロ波が、前記特定された場所に加熱を提供する、送信することと、
前記受信機のホーンアンテナを使用して、前記保温された機器からの前記マイクロ波の反射後、前記送信されたマイクロ波を受信することと、
前記ベクトルネットワーク分析器を使用して、前記送信および反射されたマイクロ波を分析することであって、前記分析することが、前記送信機のホーンアンテナから前記受信機のホーンアンテナまでの前記マイクロ波の信号経路の長さを決定することを含む、分析することと、
前記赤外線検出器を使用して、前記保温された機器の前記特定された場所から放射された赤外線波を検出することと、
前記赤外線検出器を使用して、前記検出された赤外線波に基づいて、前記特定された場所で前記保温材下にある前記保温された機器の内面の画像を現像することと、
前記プロセッサを使用して、前記送信および反射されたマイクロ波の前記分析、ならびに前記現像された画像に基づいて、前記特定された場所で任意の保温材下の腐食が存在するかどうかを判定することと、を含む、方法。
【請求項２】
前記分析するステップが、
送信用ホーンアンテナによる送信時および受信用ホーンアンテナによる受信時に前記マイクロ波の電力を測定することと、
前記送信時対前記受信時の前記マイクロ波の電力差を決定することと、を含む、請求項１に記載の方法。
【請求項３】
前記特定された場所における前記決定された電力差および前記信号の前記長さを、較正された基準の保温された機器の電力差および信号の長さと比較して、前記特定された場所における壁厚損失の量を決定するステップをさらに含む、請求項１に記載の方法。
【請求項４】
前記２つのホーンアンテナが、前記送信および受信するステップ中に、前記保温された機器上の前記特定された場所から一定の距離に維持される、請求項１に記載の方法。
【請求項５】
前記保温された機器が管である、請求項１に記載の方法。
【請求項６】
前記送信、受信、および分析するステップが、前記検出および現像するステップと実質的に同時に行われる、請求項１に記載の方法。
【請求項７】
前記特定された場所で前記保温された機器の周りにメタルジャケットを再取り付けするステップをさらに含む、請求項１に記載の方法。
【請求項８】
前記マイクロ波が電波である、請求項１に記載の方法。
【請求項９】
前記マイクロ波が、約３０ＭＨｚ〜約３００ＧＨｚの範囲の周波数を有する、請求項１に記載の方法。
【請求項１０】
前記受信されたマイクロ波の前記電力が、前記送信機のホーンアンテナと前記受信機のホーンアンテナとの間の距離、前記送信されたマイクロ波の周波数、前記送信機のホーンアンテナの電力、および前記送信機のホーンアンテナの利得の関数である、請求項１に記載の方法。
【請求項１１】
前記特定された場所における前記保温された機器の表面の前記現像された画像が、前記保温材下にある前記保温された機器の前記内面の形状を示す、請求項１に記載の方法。
【請求項１２】
保温材下の腐食について保温された機器を検査するための携帯型の二重システムであって、
前記保温された機器上の選択された場所で前記保温された機器に向けてマイクロ波を送信するように構成された送信機のホーンアンテナと、
前記選択された場所における前記保温された機器からの反射後、前記送信されたマイクロ波を受信するように構成された受信機のホーンアンテナと、
前記送信機および受信機のホーンアンテナに動作可能に接続されたベクトルネットワーク分析器であって、前記ベクトルネットワーク分析器が、前記送信および受信されたマイクロ波の電力を分析し、前記送信機のホーンアンテナから前記受信機のホーンアンテナまでの前記マイクロ波の信号経路の長さを決定するように構成されている、ベクトルネットワーク分析器と、
前記保温された機器から放射された赤外線波を検出し、前記検出された赤外線波に基づいて、前記選択された場所における前記保温された機器の前記内面の画像を現像するように構成された赤外線検出器と、
コードの形の命令を記憶するメモリを有するコントローラ、および内部で前記命令を実行することによって構成されたプロセッサと、を備え、
前記コントローラが、前記送信機および受信機のホーンアンテナ、前記ベクトルネットワーク分析器、および前記赤外線検出器の動作を可能にするように構成されている、システム。
【請求項１３】
前記送信機および受信機のホーンアンテナが、導波路ケーブルを介して前記ベクトルネットワーク分析器に動作可能に接続されている、請求項１２に記載のシステム。
【請求項１４】
前記ベクトルネットワーク分析器が、方向性結合器を含み、前記方向性結合器が、前記選択された場所に前記送信されたマイクロ波を集束させるように構成されている、請求項１２に記載のシステム。
【請求項１５】
前記送信機のホーンアンテナから飛行中のマイクロ波を捕捉し、前記捕捉されたマイクロ波に基づいて、時間分解イメージングおよび／または３Ｄイメージングを現像するように構成された飛行時間型のマイクロ波カメラをさらに備える、請求項１２に記載のシステム。
【請求項１６】
前記送信機および受信機のホーンアンテナに動作可能に接続され、前記送信機および受信機のホーンアンテナを前記選択された場所からそれぞれの一定の距離に維持するように構成されたスキャニングホルダーをさらに備える、請求項１２に記載のシステム。
【請求項１７】
前記システム構成部品が、無人航空機（ＵＡＶ）に収容されている、請求項１２に記載のシステム。
【請求項１８】
前記ＵＡＶが、前記ＵＡＶの深さを測定し、前記ＵＡＶを前記選択された場所に対して固定位置に維持するように構成された距離計を含む、請求項１７に記載のシステム。
【請求項１９】
前記保温された機器が管である、請求項１２に記載のシステム。
【請求項２０】
前記マイクロ波が電波である、請求項１２に記載のシステム。
【請求項２１】
前記マイクロ波が、約３０ＭＨｚ〜約３００ＧＨｚの範囲の周波数を有する、請求項１２に記載のシステム。
【請求項２２】
前記送信用および受信用ホーンアンテナが、通視線構成を形成するために互いに向き合うように位置合わせされ、前記ベクトルネットワーク分析器が、前記選択された場所で前記保温された機器上の自由空間誘電測定を行うように構成されている、請求項１２に記載のシステム。
【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
径方向に向けられた部分、軸線方向に向けられた部分、及び、前記径方向に向けられた部分と前記軸線方向に向けられた部分との間の湾曲部分を含む動的層であって、該動的層の前記軸線方向に向けられた部分が、前記軸線方向にのみ延びるとともに、該動的層の前記軸線方向に向けられた部分の長さの大部分にわたって密封対象の表面と接触するように構成されている、動的層と、
静的層であって、該静的層が、径方向に向けられた部分、軸線方向に向けられた部分、及び、該静的層の前記径方向に向けられた部分と該静的層の前記軸線方向に向けられた部分との間の湾曲部分を含んでおり、該静的層が、前記動的層と前記静的層との間の界面が接着剤を含まないように、前記動的層及び前記静的層の一致する長さに沿って、前記動的層に融着されており、該静的層の前記軸線方向に向けられた部分が、該静的層の前記軸線方向に向けられた部分の長さの大部分にわたって、前記動的層により密封対象の表面から離されるように構成されている、静的層と
を備える多層リップシールであって、
前記動的層がＰＴＦＥを含み、前記静的層がＰＴＦＥを含み、前記動的層及び前記静的層の各々が、前記ＰＴＦＥ全体に均一に分布された少なくとも１つの充填材を含み、前記少なくとも1つの充填材が、補強充填材、強化充填材、導電性充填材、耐摩滅性充填材、耐摩耗性充填剤、及びこれらの組み合わせよりなる充填剤の群から選択される、多層リップシール。
【請求項２】
前記静的層の前記少なくとも１つの充填材が補強充填材を含む、請求項１に記載の多層リップシール。
【請求項３】
前記補強充填材がステンレス鋼又は炭素を含む、請求項２に記載の多層リップシール。
【請求項４】
前記静的層の前記少なくとも１つの充填材が強化充填材を含む、請求項１に記載の多層リップシール。
【請求項５】
前記強化充填材がチョップドファイバである、請求項４に記載の多層リップシール。
【請求項６】
前記静的層の前記少なくとも１つの充填材が導電性充填材を含む、請求項１に記載の多層リップシール。
【請求項７】
前記導電性充填材がステンレス鋼又は青銅である、請求項６に記載の多層リップシール。
【請求項８】
前記静的層の前記少なくとも１つの充填材が耐摩滅性充填材を含む、請求項１に記載の多層リップシール。
【請求項９】
前記耐摩滅性充填材がガラス又は炭素繊維である、請求項８に記載の多層リップシール。
【請求項１０】
前記動的層の前記少なくとも１つの充填材が前記静的層の前記少なくとも１つの充填材と異なっている、請求項１に記載の多層リップシール。
【請求項１１】
前記動的層の前記少なくとも１つの充填材が耐摩耗性充填材である、請求項１０に記載の多層リップシール。
【請求項１２】
前記耐摩耗性充填材が、高温熱可塑性樹脂又は固体潤滑剤である、請求項１１に記載の多層リップシール。
【請求項１３】
前記動的層に対向していない前記静的層の表面がＰＴＦＥでコーティングされている、請求項１に記載の多層リップシール。
【請求項１４】
前記静的層に対向していない前記動的層の表面がＰＴＦＥでコーティングされている、請求項１に記載の多層リップシール。
【請求項１５】
前記動的層が、前記静的層と一体に直接融着されている、請求項１に記載の多層リップシール。
【請求項１６】
径方向に向けられた部分、軸線方向に向けられた部分、及び、前記径方向に向けられた部分と前記軸線方向に向けられた部分との間の湾曲部分を含む動的層であって、該動的層の前記軸線方向に向けられた部分が、前記軸線方向にのみ延びるとともに、該動的層の前記軸線方向に向けられた部分の長さの大部分にわたって密封対象の表面と接触するように構成されている、動的層と、
前記動的層に直接当接している静的層であって、該静的層が、径方向に向けられた部分、軸線方向に向けられた部分、及び、該静的層の前記径方向に向けられた部分と該静的層の前記軸線方向に向けられた部分との間の湾曲部分を含んでおり、該静的層の前記軸線方向に向けられた部分が、前記動的層により前記密封対象の表面から分離されるように構成されている、静的層と
を備える、多層リップシールであって、
前記動的層がＰＴＦＥを含み、前記静的層がＰＴＦＥを含み、前記動的層と前記静的層の少なくとも一方が、前記ＰＴＦＥ全体に均一に分布された少なくとも１つの充填材を含む、多層リップシール。